(57)【特許請求の範囲】
【請求項１】
複数の電子内視鏡装置の中から１つの電子内視鏡装置を選択し、選択された電子内視鏡装置において検出される映像信号を画像表示装置へ出力するとともに前記電子内視鏡装置の選択を切換可能な映像信号選択切換手段と、
前記画像表示装置において表示される前記各電子内視鏡装置からの画像が同一の色調となるように、前記画像表示装置へ出力される前記映像信号に対し、映像の色調を調整するための色成分毎のガンマ補正を含む信号処理を行なう映像信号処理手段と、
前記信号処理で用いられ、前記各電子内視鏡装置からの画像を同一の色調とする画像パラメータを前記複数の電子内視鏡装置の各々に対応して記憶する画像パラメータ記憶手段と、
前記画像パラメータの設定を行なうための画像パラメータ設定手段と
を備えたことを特徴とする電子内視鏡用信号切換装置。
【請求項２】
前記信号処理が、前記映像信号のゲインおよびガンマ係数を調整することにより行われ、前記画像パラメータが前記ゲインおよび前記ガンマ係数に対応したパラメータであることを特徴とする請求項１に記載の電子内視鏡用信号切換装置。
【請求項３】
前記映像信号が、赤、緑、青の３つの色成分に分解された映像信号であり、前記ゲインの調整が前記３つの色成分に分解された映像信号の相対的なゲインを調整することにより行われることを特徴とする請求項２に記載の電子内視鏡用信号切換装置。
【請求項４】
前記映像信号選択切換手段において選択される電子内視鏡装置が切換えられると略同時に、切換えられた電子内視鏡装置に対応する前記画像パラメータに基づいて前記信号処理が行われることを特徴とする請求項１に記載の電子内視鏡用信号切換装置。
【発明の詳細な説明】
【０００１】
【発明の属する技術分野】
本発明は、複数の電子内視鏡装置によりＴＶモニタやＶＣＲ（video cassette recorder ）等の周辺機器を共有する電子内視鏡システムにおいて、周辺機器へ出力される映像信号の選択及び選択の切換を行なう電子内視鏡用信号切換装置に関する。
【０００２】
【従来の技術】
電子内視鏡はその目的・機能に応じて様々な種類のものが各社から販売されている。例えば観察・診断を主目的とする細径の気管支用電子内視鏡や処置用管路（鉗子チャンネルなど）を備えた太径の消化器用電子内視鏡、また挿入部の硬いものや柔らかいもの、挿入部の長さが長いものや短いものなどその種類は多様である。
【０００３】
それぞれの電子内視鏡は異なる特性を有するので、術者は一回の検査に数種類の電子内視鏡を使用することがある。電子内視鏡で撮影された映像は、信号処理装置を介してＴＶモニタ等の画像表示装置を用いて観察されるが、複数の電子内視鏡を使用するときにＴＶモニタや映像を記録するためのＶＣＲ等を各電子内視鏡毎に設置することは場所的にも設備的にも無駄である。したがって、複数の電子内視鏡を使用する電子内視鏡システムでは、ＴＶモニタなどの周辺装置はシステム内において共有される。このとき、それぞれの電子内視鏡装置（電子内視鏡と信号処理装置）は、周辺装置へ出力される信号を選択的に切換える電子内視鏡用信号切換装置を介して周辺装置と接続される。
【０００４】
【発明が解決しようとする課題】
上述のようにＴＶモニタを異なる種類の電子内視鏡で共有するとき、ＴＶモニタに表示される映像の色調は電子内視鏡毎に異なるため、患部の色調が重要な診断要素である場合、術者はどの電子内視鏡の映像を基準とするべきか判断しかね適切かつ円滑に診療を行なうことが困難である。各電子内視鏡で撮像される映像を略同一の色調で表示にするには、各電子内視鏡装置を用いて同一の画像を撮像し、各映像の色調が略同一になるようにそれぞれの電子内視鏡装置における映像信号のゲインやガンマ係数を調整する必要がある。しかし、これらの調整は各電子内視鏡装置の操作パネル毎に操作を行なわなければならず大変煩雑である。
【０００５】
本発明は、複数の電子内視鏡により画像表示装置を共有する電子内視鏡システムにおいて、各電子内視鏡で撮像される映像が常に略同一の色調で画像表示されように映像信号を簡単に調整できる電子内視鏡用信号切換装置を得ることを目的としている。
【０００６】
【課題を解決するための手段】
本発明の電子内視鏡システムは、複数の電子内視鏡装置の中から１つの電子内視鏡装置を選択し、選択された電子内視鏡装置において検出される映像信号を画像表示装置へ出力するとともに電子内視鏡装置の選択を切換可能な映像信号選択切換手段と、画像表示装置へ出力される映像信号に対し、映像の色調を調整するための信号処理を行なう映像信号処理手段と、色調の調整を行なうための画像パラメータを複数の電子内視鏡装置の各々に対応して記憶する画像パラメータ記憶手段と、画像パラメータの設定を行なうための画像パラメータ設定手段とを備えたことを特徴としている。
【０００７】
信号処理は好ましくは、映像信号のゲインおよびガンマ係数を調整することにより行われ、画像パラメータがゲインおよびガンマ係数に対応したパラメータである。
【０００８】
例えば映像信号は、赤、緑、青の３つの色成分に分解された映像信号であり、ゲインの調整が３つの色成分に分解された映像信号の相対的なゲインを調整することにより行われる。
【０００９】
好ましくは、映像信号選択切換手段において選択される電子内視鏡装置が切換えられると略同時に、切換えられた電子内視鏡装置に対応する画像パラメータに基づいて信号処理が行われる。これにより各電子内視鏡装置において撮像される映像を電子内視鏡装置の選択を切換える度に煩雑な操作をすることなく、常に同一の色調で画像表示することができる。
【００１０】
【発明の実施の形態】
以下、本発明の実施の形態を図面を参照して説明する。
図１は本発明の実施形態である電子内視鏡システムの構成および本電子内視鏡システムで使用される従来公知の２つの電子内視鏡装置（電子内視鏡および信号処理装置）の回路構成を示すブロック図である。
【００１１】
電子内視鏡用信号切換装置（映像切換装置）１０には、ＲＧＢ面順次撮像方式の信号処理装置４０、カラー単板撮像方式の信号処理装置６０と、これらに共有されるＴＶモニタ２５とＶＣＲ２６とがコネクタ（図示せず）を介して着脱自在に接続されている。ＲＧＢ面順次撮像方式の信号処理装置４０には、ＲＧＢ面順次撮像方式に適合した電子内視鏡３０が接続され、カラー単板撮像方式の信号処理装置６０には、カラー単板撮像方式に適合した電子内視鏡５０が接続される。電子内視鏡３０、５０と信号処理装置４０、６０との接続は、それぞれスコープコネクタ（図示せず）を介して着脱自在に行われる。ＴＶモニタ２５には、映像切換装置１０の選択にしたがって電子内視鏡３０で撮像された映像または電子内視鏡５０で撮像された映像のうちの一方が表示される。このときＴＶモニタ２５に表示される映像は映像切換装置１０の操作パネル２２（図２参照）および各信号処理装置４０、６０の操作パネル４４、６４に設けられたスイッチ（図示せず）を操作することにより切換え可能である。また、ＴＶモニタ２５に表示される映像は、同時にＶＣＲ２６に送られビデオカセットテープに記録可能である。
【００１２】
まず、電子内視鏡３０と信号処理装置４０からなるＲＧＢ面順次撮像方式の電子内視鏡装置について説明する。
【００１３】
電子内視鏡３０の内部には超極細の光ファイバーケーブルの束であるライトガイド３４が配設されており、ライトガイド３４の一方の端面である出射端３２は電子内視鏡３０の先端部に位置している。出射端３２の前方には照明レンズ（図示せず）が配されており、出射端３２から出射される光が照明レンズを介して照明光として照射される。この照明光は信号処理装置４０内に設けられたランプ（光源）３７からライトガイド３４を介して供給される。
【００１４】
ランプ３７からは略平行に白色光が照射され、集光レンズ３６、ＲＧＢ回転フィルタ３８等を介してライトガイド３４の入射端３５に集光される。これにより入射端３５に入射した光はライトガイド３４を経由して出射端３２に伝送され電子内視鏡３０の先端（出射端３２）から照明光として照射される。
【００１５】
ＲＧＢ回転フィルタ３８は薄い回転円盤であり、その盤面には円周方向に沿って略等間隔に３つの開口が形成され、各開口には、それぞれ赤（Ｒ）、緑（Ｇ）、青（Ｂ）のカラーフィルタが設けられている。ＲＧＢ回転フィルタ３８はモータ３９により回転され、その回転軸はランプ３７から照射される照明光の光軸に平行である。またＲＧＢ回転フィルタ３８は、円盤が回転する際に各開口が照明光の光路を横切るように配置されている。すなわち、集光レンズ３６を透過した白色照明光は、ＲＧＢ回転フィルタ３８が回転し、各開口が照明光の光路を横切るときにＲＧＢのカラーフィルタをそれぞれ透過して入射端３５に集光される。ＲＧＢのカラーフィルタをそれぞれ透過した照明光はＲＧＢの光として順次間欠的にライトガイド３４に入射される。したがって、電子内視鏡３０の先端（出射端３２）からは、ＲＧＢの光が各色成分毎に順次間欠的に照明光として照射される。
【００１６】
ランプ３７は、ランプ電源回路４６によりその出力が制御され、ランプ電源回路４６は、システムコントロール回路４３により制御される。システムコントロール４３から出力される制御信号はデジタル信号でありＤ／Ａ変換器４５でアナログ信号変換されランプ電源回路４６へ出力される。モータ３９の回転は、タイミングコントロール回路４２の同期信号に基づいて制御される。
【００１７】
電子内視鏡３０の先端には、撮像素子３１が設けられており出射端３２から照射されるＲＧＢの照明光により撮像が行われる。照明光はＲＧＢの各色成分毎に順次間欠的に照射されるので、撮像素子３１でもＲＧＢの色成分毎の映像が順次モノクロ映像として検出される。検出されたＲＧＢ毎の映像は、時系列のＲＧＢ映像信号として電子内視鏡３０内のケーブル３３を介して信号処理装置４０の映像信号処理回路４１へ伝送される。
【００１８】
映像信号処理回路４１に入力された映像信号は、適度に増幅され、映像帯域のフィルタリング処理、Ｓ／Ｈ処理、増幅処理、クランプ処理、クリップ処理、ガンマ処理等の前段信号処理が施された後デジタルの画像信号に変換される。デジタルの画像信号はＲＧＢ毎に一時的に画像メモリ（図示せず）に記憶される。ＲＧＢの画像信号が１組揃うと再びアナログ信号に変換されて後段信号処理が行われる。後段信号処理では、フィルタリング処理、増幅処理、ガンマ処理、クランプ処理、クリップ処理、エンハンス処理、レベル調整等が行われ、規格化されたＲＧＢコンポーネント映像信号に変換される。
【００１９】
なお、映像信号処理回路４１内の信号処理や撮像素子３１の駆動タイミングは、タイミングコントロール回路４２の同期信号に基づいて行われる。タイミングコントロール回路４２は、システムコントロール回路４３により制御される。システムコントロール回路４３には、操作パネル４４が接続されている。また、システムコントロール回路４３は映像切換装置１０のシステムコントロール回路２１（図２参照）とインターフェースケーブルを介して接続されている。システムコントロール回路４３は、操作パネル４４が操作されると電子内視鏡装置の選択を切換えるためのコントロール信号をシステムコントロール回路２１へ出力する。すなわち、電子内視鏡３０と信号処理装置４０からなるＲＧＢ面順次撮像方式の電子内視鏡装置により映像が、映像切換装置１０によって選択されていないときに、操作パネル４４上の本来映像選択とは別の機能を有する任意のスイッチを操作すると、その本来の機能を働かせずに、システムコントロール回路４３がコントロール信号系ＣＳ１を介して選択を促す信号を映像切換装置１０のシステムコントロール回路２１へ出力し、その信号に対するシステムコントロール回路２１からの応答信号をコントロール信号系ＣＳ１を介してシステムコントロール回路４３が受け取ることにより、操作パネル４４上の各スイッチが本来の機能を果たすことが可能となるようにしている。このことにより、信号処理装置４０の操作パネル４４上に映像切換装置１０に対して選択を行わせるためのスイッチを設ける必要はなく、旧来の信号処理装置についても制御ソフトウェアを改変するだけで本実施形態に対応可能となる。
【００２０】
映像信号処理回路４１から出力されるＲＧＢコンポーネント映像信号およびタイミングコントロール回路４２から出力される同期信号は、各々ケーブルを介して映像切換装置１０へ入力される。
【００２１】
次に電子内視鏡５０と信号処理装置６０からなるカラー単板撮像方式の電子内視鏡装置について説明する。
【００２２】
電子内視鏡５０の内部には超極細の光ファイバーケーブルの束であるライトガイド５４が配設されており、ライトガイド５４一方の端面である出射端５２は電子内視鏡５０の先端部に位置している。出射端５２の前方には照明レンズ（図示せず）が配されており、出射端５２から出射される光が照明レンズを介して照明光として照射される。この照明光は信号処理装置６０内に設けられたランプ（光源）５７からスコープコネクタにおいて接続されライトガイド５４を介して供給される。ランプ５７からは略平行に白色光が照射され、集光レンズ５６等を介してライトガイド５４の入射端５５に集光される。これにより入射端５５に入射した光はライトガイド５４を経由して出射端５２に伝送され電子内視鏡５０の先端（出射端５２）から照明光として照射される。
【００２３】
ランプ５７は、ランプ電源回路６６によりその出力が制御され、ランプ電源回路６６は、システムコントロール回路６３により制御される。システムコントロール６３から出力される制御信号はデジタル信号でありＤ／Ａ変換器６５でアナログ信号変換されランプ電源回路６６へ出力される。
【００２４】
電子内視鏡５０の先端には、撮像素子５１が設けられており出射端５２から照射される白色照明光により撮像が行われる。撮像素子５１では、ＲＧＢ毎の映像が同時に検出され、電子内視鏡５０内に設けられたケーブル５３を介して、信号処理装置６０の映像信号処理回路６１へ伝送される。
【００２５】
映像信号処理回路６１に入力された映像信号は、適度に増幅され、映像帯域のフィルタリング処理、Ｓ／Ｈ処理、増幅処理、クランプ処理、クリップ処理、ガンマ処理等の前段信号処理が施された後デジタルの画像信号に変換される。デジタルの画像信号はＲＧＢ毎に一時的に画像メモリ（図示せず）に記憶される。ＲＧＢの画像信号が１組揃うと再びアナログ信号に変換されて後段信号処理が行われる。後段信号処理では、フィルタリング処理、増幅処理、ガンマ処理、クランプ処理、クリップ処理、エンハンス処理、レベル調整等が行われ、規格化されたＲＧＢコンポーネント映像信号に変換される。
【００２６】
なお、映像信号処理回路６１内の信号処理や撮像素子５１の駆動タイミングは、タイミングコントロール回路６２の同期信号に基づいて行われる。タイミングコントロール回路６２は、システムコントロール回路６３により制御される。システムコントロール回路６３には、操作パネル６４が接続されており、操作パネル６４には、スイッチ群（図示せず）が設けられている。また、システムコントロール回路６３は映像切換装置１０のシステムコントロール回路２１（図２参照）とインターフェースケーブルを介して接続されている。システムコントロール回路６３は、操作パネル６４が操作されると電子内視鏡装置の選択を切換えるためのコントロール信号をシステムコントロール回路２１へ出力する。すなわち、電子内視鏡５０と信号処理装置６０からなるカラー単板撮像方式の電子内視鏡装置により映像が、映像切換装置１０によって選択されていないときに、操作パネル６４上の本来映像選択とは別の機能を有する任意のスイッチを操作すると、その本来の機能を働かせずに、システムコントロール回路６３がコントロール信号系ＣＳ２を介して選択を促す信号を映像切換装置１０のシステムコントロール回路２１へ出力し、その信号に対するシステムコントロール回路２１からの応答信号をコントロール信号系ＣＳ２を介してシステムコントロール回路６３が受け取ることにより、操作パネル６４上の各スイッチが本来の機能を果たすことを可能としている。
【００２７】
映像信号処理回路６１から出力されるＲＧＢコンポーネント映像信号およびタイミングコントロール回路６２から出力される同期信号は、各々ケーブルを介して映像切換装置１０へ入力される。
【００２８】
図２は映像切換装置１０の回路構成を示すブロック図である。図２を参照して本実施形態の映像切換装置１０について説明する。
【００２９】
切換回路１１ｒ、１１ｇ、１１ｂ、１２は、例えば従来公知のアナログスイッチやリレースイッチ等である。切換回路１１ｒ〜１１ｂには信号処理装置４０から出力されるＲＧＢコンポーネント映像信号Ｒ１、Ｇ１、Ｂ１と信号処理装置６０から出力されるＲＧＢコンポーネント映像信号Ｒ２、Ｇ２、Ｂ２とが入力される。また切換回路１２には信号処理装置４０、６０から出力される同期信号Ｔ１、Ｔ２がそれぞれ入力される。切換回路１１ｒ〜１１ｂ、１２では、システムコントロール回路２１からの信号指令に基づいて、信号処理装置４０、６０から出力されたコンポーネント信号（ＲＧＢコンポーネント映像信号および同期信号）の一方が選択され出力される。すなわち、ＲＧＢ面順次撮像方式の電子内視鏡装置が選択されているときにはコンポーネント信号（Ｒ１、Ｇ１、Ｂ１、Ｔ１）が出力され、カラー単板撮像方式の電子内視鏡装置が選択されているときにはコンポーネント信号（Ｒ２、Ｇ２、Ｂ２、Ｔ２）が出力される。
【００３０】
切換回路１１ｒ〜１１ｂから出力されたＲＧＢコンポーネント映像信号は、それぞれ増幅器１３ｒ、１３ｇ、１３ｂで増幅された後、クランプ回路１５ｒ、１５ｇ、１５ｂへ出力される。クランプ回路１５ｒ、１５ｇ、１５ｂでは、ＲＧＢコンポーネント映像信号の黒レベルが調整され、ガンマ補正回路１７ｒ、１７ｇ、１７ｂへそれぞれ出力される。ガンマ補正回路１７ｒ〜１７ｂにおいてガンマ補正されたＲＧＢコンポーネント映像信号はそれぞれケーブルドライバ１９ｒ、１９ｇ、１９ｂを経てＴＶモニタ２５およびＶＣＲ２６へ出力される。一方切換回路１２から出力される同期信号は、タイミングコントロール回路１６およびケーブルドライバ２０へ出力される。ケーブルドライバ２０に入力された同期信号はＴＶモニタ２５およびＶＣＲ２６へ出力される。
【００３１】
増幅器１３ｒ〜１３ｂにおけるＲＧＢのゲインは、Ｄ／Ａ変換器１４を介したシステムコントロール回路２１からの信号指令に基づいてそれぞれ調整される。Ｄ／Ａ変換器１４は３チャンネルのＤ／Ａ変換器であり、システムコントロール回路２１から出力されたデジタルの信号指令は、アナログ信号に変換されそれぞれ増幅器１３ｒ〜１３ｂへ独立に出力される。クランプ回路１５ｒ〜１５ｂはタイミングコントロール回路１６からの同期信号に基づいて制御される。ガンマ補正回路１７ｒ〜１７ｂは、Ｄ／Ａ変換器１８を介してシステムコントロール回路２１から出力される信号指令に基づいて制御される。
【００３２】
システムコントロール回路２１にはメモリ（不揮発性メモリ）２３が接続されている。システムコントロール回路２１から増幅器１３ｒ〜１３ｂおよびガンマ補正回路１７ｒ〜１７ｂへ出力される信号指令は、メモリ２３に記憶された画像パラメータに基づいて出力される。画像パラメータはＲＧＢのゲインおよびガンマ係数（γ）であり、画像メモリ２３には映像切換装置１０に接続された２台の電子内視鏡装置に対応した画像パラメータが各々記憶されている。すなわち、メモリ２３には、電子内視鏡３０の映像信号を処理するための画像パラメータと電子内視鏡５０の映像信号を処理するための画像パラメータとがそれぞれ記憶されている。これらの画像パラメータは、システムコントロール回路２１に接続された操作パネルのスイッチを操作することにより設定・変更される。
【００３３】
図３は、操作パネル２２に設けられたスイッチのうちＲＧＢのゲインとガンマ係数を設定するためのスイッチを示した図である。
【００３４】
スイッチ７０は、電子内視鏡装置の選択を切換えるためのスイッチであり、スイッチ７０が押されると切換回路１１ｒ〜１１ｂ、１２から出力される信号が交互に切換えられる。すなわち、コンポーネント信号（Ｒ１、Ｇ１、Ｂ１、Ｔ１）が出力されているときにスイッチ７０が押されると、出力される信号がコンポーネント信号（Ｒ２、Ｇ２、Ｂ２、Ｔ２）に切り換わり、コンポーネント信号（Ｒ２、Ｇ２、Ｂ２、Ｔ２）が出力されているときにスイッチ７０が押されると、出力される信号がコンポーネント信号（Ｒ１、Ｇ１、Ｂ１、Ｔ１）に切り換わる。このとき参照される画像パラメータも略同時に対応する電子内視鏡装置の画像パラメータに切換えられ、選択された電子内視鏡装置に対応してＲＧＢのゲインおよびガンマ係数が調整される。
【００３５】
スイッチ７１〜７６は、ＲＧＢのゲインを個別に変化させてカラーバランスを設定するためのスイッチである。スイッチ７１、７２はＲ、スイッチ７３、７４はＧ、スイッチ７５、７６はＢに関するゲインの設定をそれぞれ行なう。スイッチ７１、７３、７５は、ＲＧＢのゲインを増大するためのスイッチであり、スイッチ７２、７４、７６はＲＧＢのゲインを減少するためのスイッチである。ガンマ補正におけるガンマ係数（γ）の設定は、スイッチ７７、７８によって行われる。スイッチ７７が押されるとガンマ係数の値は大きくなり、スイッチ７８が押されるとガンマ係数の値は小さくなる。これらのスイッチが操作されると、直ちに現在選択されている電子内視鏡装置のための画像パラメータがメモリ２３において自動的に更新される。言い換えれると、メモリ２３における画像パラメータの更新は、これらスイッチの操作回数あるいは操作時間（押込時間）によて段階的に行われる。例えば、ＲＧＢ面順次撮像方式の電子内視鏡装置が選択されているときに、スイッチ７１〜７８の何れかのスイッチが押されると、メモリ２３のＲＧＢ面順次撮像方式の電子内視鏡のための画像パラメータ（ＲＧＢゲイン、γ）が、システムコントロール回路２１によって更新される。システムコントロール回路２１は更新された画像パラメータの値をメモリ２３から読み出し、その値に基づいて増幅器１３ｒ〜１３ｂおよびガンマ補正回路１７ｒ〜１７ｂを制御する。ＲＧＢ面順次撮像方式の電子内視鏡から出力されたＲＧＢコンポーネント映像信号（Ｒ１、Ｇ１、Ｂ１）は、更新された画像パラメータに基づいて増幅器１３ｒ〜１３ｂにおいてＲＧＢのゲインが調整され、ガンマ補正回路１７ｒ〜１７ｂにおいてガンマ補正が施されＴＶモニタ２５、ＶＣＲ２６へ出力される。
【００３６】
なお、ＲＧＢゲインの調整（カラーバランスの調整）およびガンマ係数の調整は、各電子内視鏡装置において、例えば予め白色チャートなどを撮像し、ＴＶモニタ２５に表示される白色チャートの映像が各電子内視鏡装置において略同じ色調となるようにスイッチ７１〜７８を操作することにより行われる。
【００３７】
以上のように、本実施形態によれば、電子内視鏡用信号切換装置（映像切換装置）が各電子内視鏡装置に対応してＲＧＢゲインとガンマ係数を記憶できるとともに、これらの画像パラメータに基づいて映像信号の処理が行えるので、電子内視鏡用信号切換装置のみを操作して表示される映像の色調を簡単に調整することができる。また、色調の調整のために電子内視鏡用信号切換装置内でおこなわれる映像信号の処理は、電子内視鏡装置の切換えに合わせて自動的に対応する画像パラメータに基づいて行われるので、術者は電子内視鏡装置の切換えを行うたびに切換えられた電子内視鏡装置に対応する画像パラメータを選択する必要がなく、その操作は極めて簡便なものとなる。
【００３８】
なお、本実施形態において映像切換装置に接続された電子内視鏡装置は２台であったが、接続される電子内視鏡装置の数はもっと多くともよい。
【００３９】
本実施形態において、ＲＧＢのゲインはＲＧＢ毎に設定されたが、例えばＧに対するＲとＢの相対的なゲインをそれぞれ設定するようにしてもよい。
【００４０】
【発明の効果】
以上により本発明によれば、複数の電子内視鏡により画像表示装置を共有する電子内視鏡システムにおいて、各電子内視鏡で撮像される映像が常に同一の色調で画像表示されように映像信号を簡単に調整できる電子内視鏡用信号切換装置を得ることができる。
【図面の簡単な説明】
【図１】本発明の実施形態である電子内視鏡システムの構成および電子内視鏡装置の回路構成を示すブロック図である。
【図２】本実施形態の電子内視鏡システムにおいて用いられる電子内視鏡用信号切換回路（映像切換装置）の回路構成を示すブロック図である。
【図３】ＲＧＢゲインとガンマ係数を設定するためのスイッチを表した図である。
【符号の説明】
１０  電子内視鏡用信号切換装置（映像切換装置）
１１ｒ、１１ｇ、１１ｂ  切換回路
１３ｒ、１３ｇ、１３ｂ  増幅器
１７ｒ、１７ｇ、１７ｂ  ガンマ補正回路
２２  操作パネル
２３  メモリ
３０  ＲＧＢ面順次撮像方式の電子内視鏡
４０  ＲＧＢ面順次撮像方式の信号処理装置
５０  カラー単板撮像方式の電子内視鏡
６０  カラー単板撮像方式の信号処理装置
【図１】
0004360724.tif 000002
【図２】
0004360724.tif 000003
【図３】
0004360724.tif 000004